(57)【要約】【課題】  入力情報を分析し、各情報の関係が明瞭に認識し得るように展開して提示する情報分析展開提示方法、装置およびプログラムを提供する。【解決手段】入力情報の分析結果に基づき入力情報のメインテーマ、サブテーマ、情報コンテンツを抽出するとともに、メインテーマを表示するメインテーマ表示部１０１を中心としてサブテーマを表示するサブテーマ用二次元表示領域２０１を複数表示する三次元表示空間を生成し、メインテーマのメインテーマ表示部１０１を中心としてサブテーマが表示されるサブテーマ用二次元表示領域２０１にサブテーマに該当する情報コンテンツを表示し、三次元表示空間の二次元表示領域にメインテーマを中心としてサブテーマ毎に情報コンテンツを表示する。【選択図】図１３
2005063306.tif 000002
【特許請求の範囲】
【請求項１】
入力された情報を分析して提示する情報分析展開提示方法であって、
入力情報を分析する分析ステップと、
この分析結果に基づき入力情報のメインテーマおよび該メインテーマに属するサブテーマを抽出するテーマ抽出ステップと、
前記メインテーマを表示するメインテーマ表示領域を生成するメインテーマ表示領域生成ステップと、
前記サブテーマを表示するサブテーマ用の二次元表示領域を生成するサブテーマ用二次元表示領域生成ステップと、
このサブテーマ用表示領域を前記メインテーマ表示領域に関連付けて配置する配置ステップと
を有することを特徴とする情報分析展開提示方法。
【請求項２】
前記入力情報の分析結果に基づき前記サブテーマに含まれる情報コンテンツをサブテーマ毎に抽出する情報コンテンツ抽出ステップと、
この抽出されたサブテーマ毎の情報コンテンツを当該サブテーマに該当するサブテーマ用の二次元表示領域に表示すると共に、この二次元表示領域をメインテーマを中心としてその周囲に表示するサブテーマ表示ステップと
を有することを特徴とする請求項１記載の情報分析展開提示方法。
【請求項３】
前記メインテーマに対して複数のサブテーマが存在するときに、この複数のサブテーマにそれぞれ対応する複数の二次元表示領域をメインテーマを中心に、互いに重ならないように広げて表示する第１の表示状態、互いに重なり合うように近接させ閉じて表示する第２の表示状態、および所望のサブテーマに対応する二次元表示領域を選択的に他と重ならないように表示する第３の表示状態のいずれかで表示する二次元表示ステップを有することを特徴とする請求項１または２記載の情報分析展開提示方法。
【請求項４】
複数のメインテーマが存在するとき、前記第２の表示状態にあるメインテーマ表示領域および二次元表示領域を、三次元表示空間の周縁部に表示することを特徴とする請求項３記載の情報分析展開提示方法。
【請求項５】
前記サブテーマ表示ステップにおいてサブテーマ用の二次元表示領域に表示される情報コンテンツの表示位置を変更することができ、この変更した情報コンテンツの表示位置情報を履歴情報として記録管理することを特徴とする請求項１乃至４のいずれか１項に記載の情報分析展開提示方法。
【請求項６】
前記サブテーマ表示ステップにおいてサブテーマ用の二次元表示領域に情報コンテンツを表示した表示時刻情報を履歴情報として登録管理し、この表示時刻情報から各情報コンテンツの順序関係データを抽出することを特徴とする請求項１乃至５のいずれか１項に記載の情報分析展開提示方法。
【請求項７】
前記サブテーマ表示ステップにおいてサブテーマ用の二次元表示領域に表示される情報コンテンツの表示位置から各情報コンテンツ間の距離を算出し、この距離が所定の閾値以下である情報コンテンツから近似関係データを抽出することを特徴とする請求項１乃至６のいずれか１項に記載の情報分析展開提示方法。
【請求項８】
前記順序関係データおよび近似関係データに基づき情報コンテンツ間の因果関係データを生成することを特徴とする請求項７記載の情報分析展開提示方法。
【請求項９】
前記サブテーマ表示ステップにおいてサブテーマ用の二次元表示領域に表示される情報コンテンツの重なり合う領域を算出し、この重なり合う領域が大きい情報コンテンツほど相関関係が強いと推論し、この重なり合う領域の大きさに基づき情報コンテンツ間の相関関係データを抽出することを特徴とする請求項１乃至８のいずれか１項に記載の情報分析展開提示方法。
【請求項１０】
前記サブテーマ表示ステップにおいて情報コンテンツが表示されるサブテーマ用の二次元表示領域を複数の領域に分割し、同一領域に表示される情報コンテンツは相関関係が強いと推論し、情報コンテンツ間の相関関係データを抽出することを特徴とする請求項１乃至９のいずれか１項に記載の情報分析展開提示方法。
【請求項１１】
前記順序関係データ、近似関係データ、因果関係データ、相関関係データをメタデータとしてメタデータデータベースに登録することを特徴とする請求項１０記載の情報分析展開提示方法。
【請求項１２】
複数のメインテーマをサブテーマとともに三次元表示空間に表示し、複数のメインテーマにまたがる同一情報コンテンツを視覚的なパスで連結して表示することを特徴とする請求項１乃至１１のいずれか１項に記載の情報分析展開提示方法。
【請求項１３】
入力された情報を分析して提示する情報分析展開提示装置であって、
入力情報を分析する分析手段と、
この分析結果に基づき入力情報のメインテーマおよび該メインテーマに属するサブテーマを抽出するテーマ抽出手段と、
前記メインテーマを表示するメインテーマ表示領域を生成するメインテーマ表示領域生成手段と、
前記サブテーマを表示するサブテーマ用の二次元表示領域を生成するサブテーマ用二次元表示領域生成手段と、
このサブテーマ用表示領域を前記メインテーマ表示領域に関連付けて配置する配置手段と、
前記入力情報の分析結果に基づき前記サブテーマに含まれる情報コンテンツをサブテーマ毎に抽出する情報コンテンツ抽出手段と、
この抽出されたサブテーマ毎の情報コンテンツを当該サブテーマに該当するサブテーマ用の二次元表示領域に表示するサブテーマ表示手段と
を有することを特徴とする情報分析展開提示装置。
【請求項１４】
請求項１乃至１２のいずれか１項に記載の情報分析展開提示方法をコンピュータに実行させることを特徴とするコンピュータ実行可能な情報分析展開提示プログラム。
【発明の詳細な説明】
【技術分野】
【０００１】
本発明は、入力された情報を分析して提示する情報分析展開提示方法、情報分析展開提示装置およびプログラムに関する。
【背景技術】
【０００２】
計算機システムやネットワークの発達と普及に伴い、ユーザが閲覧可能なコンテンツ群は飛躍的に増大した結果、閲覧した情報の中からユーザが必要とする情報群が何か、ユーザ自身が識別することが困難になる。
【０００３】
この問題に関して従来手法では情報検索や情報フィルタリング、知識ベースなどの技術により解決が試みられてきた。これら手法は、ユーザが必要とする情報に関してユーザ自身が明確な意図を持っていることを前提としている。
【０００４】
しかし、情報閲覧作業において、ユーザが最初から目的なり意図を明確化している状況ばかりではなく、多くの状況では漠然とした目的を持ったまま、情報群を総覧しながらユーザは徐々に目的や意図を固めて行く。また、ユーザが目的や意図を固める段階において、当初の目的とする概念が多岐にわたることを発見し、概念を詳細化するため一時的に目的から離れた情報群の検索や閲覧や調査が発生する。
【０００５】
この結果、ユーザは多岐に渡る情報を網羅的に収集することになるが、収集された情報はユーザの目的に対してどのような意味を持ち、どのようなコンテキスト上にある情報であるかを記録する術を持たない。このような問題点からユーザが作業を遂行し続けた場合、当初の目的に対して情報が集約されるとは限らず、逆に情報群の意味関連が多岐に渡り、調査目的とする概念が発散し、ユーザは作業を完了することができなくなる。
【０００６】
この問題に対する従来の研究や技術においては、特定の単語や概念や写真などが、個々のユーザごとに異なる連想や意味関連を抱いていることを発見するグラフィカルなシステムが提案されているが（例えば、非特許文献１参照）、この手法は協調作業における概念の多様性発見のための手法であり、ユーザ個人の思考に対する多様性や示唆をユーザ自身に直接与えることを目的としないため、個人の頭の中の情報を整理することにはつながらない。
【０００７】
現行のシステムにおいて、これら問題をサポートするためユーザのアクセス履歴を保存閲覧する技術が用いられているが、これらはユーザのアクセス時間順に記録したものに過ぎず、実際ユーザがアクセスする上で必要なコンテキスト情報が欠如し、ユーザにとっての閲覧性が悪いという問題がある。この問題に対して、作業シートを共有し、時間軸順に３次元空間内に配置することで見通しを良くする手法も取られている（例えば、特許文献４，非特許文献２参照）。しかし、人間が日常生活で物を扱うように情報を取り扱う方法としては、計算機的な操作要素が多く、直観的に取り扱うには不便さが発生する。
【０００８】
この情報履歴の問題に対して視覚化による別の手法も試みられている（例えば、非特許文献３参照）。だがこの手法は、すでに情報が整理分類されていることを（例えば特許文献５参照）を前提とした視覚化手法である。
【０００９】
一方、設計手法で使われてきたフローチャート図を表示する視覚的手法もあるが（例えば、非特許文献４参照）、これら手法は機械やソフトウェアの設計など、特定の領域に依存する情報や知識を表現する手法であるため、柔軟性や拡張性に乏しい。
【特許文献１】特開平６−１３１４７０号公報
【特許文献２】特開平１１−１２０１６２号公報
【特許文献３】特開２００１−２８２５３９号公報
【特許文献４】特開２００１−２０９６５８号公報
【特許文献５】特開平１０−１３４０４０号公報
【非特許文献１】人工知能学会、ことば工業研究会、ＳＩＧ−ＬＳＥ−９９０４−１  中小路久美代、山本恭祐、大平雅雄著「ＥＶＩＤＩＩ利用における共有情報空間の特性とコミュニケーションへの影響に関する考察」、２０００年３月、ｐ．１−５
【非特許文献２】情報処理学会、ヒューマンインターフェイス研究会、安立大介、長幾朗著、「プロセス情報の視覚化・蓄積による効率的作業の研究―思考過程共有システムの提案―」、２００２年９月、ｐ７９−８２
【非特許文献３】人工知能学会１７回全国大会  ２Ｂ１−０６、松下光範、白井良成、桑原和宏著、「意思決定のための探索家庭の振りかえり支援―探索履歴の空間配置―」、２００３年６月、２Ｂ１−０６
【非特許文献４】人工知能学会特集論文、間瀬久雄、絹川博之、森井洋、中尾政之、畑村洋太郎著「思考過程の思考展開図表現に基づく機械設計支援システム」、２００２年、ｐ．９４−１０３
【発明の開示】
【発明が解決しようとする課題】
【００１０】
第１の問題点は、計算機上のデータは人間にとって直観的に把握しにくいこと。
【００１１】
その理由は、データは物理的な物体と異なり、人間にとって直観的に把握できる実体がない。特に（ａ）存在性（そこに在るという実感）、（ｂ）識別性（それが何であるかおおよその把握）、（ｃ）一意性（操作可能な実体として把握）など、直観的に把握できるインデックスに相当する性質が欠落している。計算機システム上のデータを把握する手がかりは、ファイル名やデータ名のようなインデックス情報と、データのコンテンツ自体である。この２つの関連づけは計算機システムを利用するユーザの頭の中で行われるため、扱うデータフォーマットが限られていない場合はユーザにとって負担となる。
【００１２】
第２の問題点は雑多な情報を統一的に管理するカテゴリが存在しないことにある。その理由は、最初から目的を設定することができないために統一的なカテゴリを設計することができないからであり、日常的に行われる人間の行為において、初めから明確な目的を設定することは稀であり、むしろ目的を設定するために情報を閲覧しようとする。
【００１３】
第３の問題点は、ユーザ側のコンテキストの自動的な記録する手段が無いことにある。
【００１４】
その理由は、ユーザは情報の閲覧や検索という目的に集中するため、コンテキスト情報の記録は行わない。更に、ユーザは個々の情報の閲覧に専念する結果、時間が経過するに従い情報にアクセスする目的や手順に関するユーザ自身の記憶が薄れる。特に、情報相互の相関関係を記憶することはなく、ユーザ自身が記憶することになるが、これはユーザにとって認知的な負担となる。
【００１５】
第４の問題点は、収集した情報を利活用しにくいことにある。その理由は、上記第１の問題点から、収集した情報の利活用を促すための分類方法を整えることが困難であることからシステム側で支援することが難しい。また、上記第１の問題点から、蓄積された情報の中から適切な情報をユーザが選び出すことには、ユーザにとって認知的な負担が大きくなる。
【００１６】
本発明は、上記に鑑みてなされたもので、その目的とするところは、入力情報を分析し、各情報の関係が明瞭に認識し得るように展開して提示する情報分析展開提示方法、装置およびプログラムを提供することにある。
【課題を解決するための手段】
【００１７】
請求項１記載の本発明は、入力された情報を分析して提示する情報分析展開提示方法であって、入力情報を分析する分析ステップと、この分析結果に基づき入力情報のメインテーマおよび該メインテーマに属するサブテーマを抽出するテーマ抽出ステップと、前記メインテーマを表示するメインテーマ表示領域を生成するメインテーマ表示領域生成ステップと、前記サブテーマを表示するサブテーマ用の二次元表示領域を生成するサブテーマ用二次元表示領域生成ステップと、このサブテーマ用表示領域を前記メインテーマ表示領域に関連付けて配置する配置ステップとを有することを要旨とする。
【００１８】
請求項２記載の本発明は、前記入力情報の分析結果に基づき前記サブテーマに含まれる情報コンテンツをサブテーマ毎に抽出する情報コンテンツ抽出ステップと、この抽出されたサブテーマ毎の情報コンテンツを当該サブテーマに該当するサブテーマ用の二次元表示領域に表示すると共に、この二次元表示領域をメインテーマを中心としてその周囲に表示するサブテーマ表示ステップとを有することを要旨とする。
【００１９】
請求項３記載の本発明は、前記メインテーマに対して複数のサブテーマが存在するときに、この複数のサブテーマにそれぞれ対応する複数の二次元表示領域をメインテーマを中心に、互いに重ならないように広げて表示する第１の表示状態、互いに重なり合うように近接させ閉じて表示する第２の表示状態、および所望のサブテーマに対応する二次元表示領域を選択的に他と重ならないように表示する第３の表示状態のいずれかで表示する二次元表示ステップを有することを要旨とする。
【００２０】
請求項４記載の本発明は、複数のメインテーマが存在するとき、前記第２の表示状態にあるメインテーマ表示領域および二次元表示領域を、三次元表示空間の周縁部に表示することを要旨とする。
【００２１】
請求項５記載の本発明は、前記サブテーマ表示ステップにおいてサブテーマ用の二次元表示領域に表示される情報コンテンツの表示位置を変更することができ、この変更した情報コンテンツの表示位置情報を履歴情報として記録管理することを要旨とする。
【００２２】
請求項６記載の本発明は、前記サブテーマ表示ステップにおいてサブテーマ用の二次元表示領域に情報コンテンツを表示した表示時刻情報を履歴情報として登録管理し、この表示時刻情報から各情報コンテンツの順序関係データを抽出することを要旨とする。
【００２３】
請求項７記載の本発明は、前記サブテーマ表示ステップにおいてサブテーマ用の二次元表示領域に表示される情報コンテンツの表示位置から各情報コンテンツ間の距離を算出し、この距離が所定の閾値以下である情報コンテンツから近似関係データを抽出することを要旨とする。
【００２４】
請求項８記載の本発明は、前記順序関係データおよび近似関係データに基づき情報コンテンツ間の因果関係データを生成することを要旨とする。
【００２５】
請求項９記載の本発明は、前記サブテーマ表示ステップにおいてサブテーマ用の二次元表示領域に表示される情報コンテンツの重なり合う領域を算出し、この重なり合う領域が大きい情報コンテンツほど相関関係が強いと推論し、この重なり合う領域の大きさに基づき情報コンテンツ間の相関関係データを抽出することを要旨とする。
【００２６】
請求項１０記載の本発明は、前記サブテーマ表示ステップにおいて情報コンテンツが表示されるサブテーマ用の二次元表示領域を複数の領域に分割し、同一領域に表示される情報コンテンツは相関関係が強いと推論し、情報コンテンツ間の相関関係データを抽出することを要旨とする。
【００２７】
請求項１１記載の本発明は、前記順序関係データ、近似関係データ、因果関係データ及び相関関係データをメタデータとしてメタデータデータベースに登録することを要旨とする。
【００２８】
請求項１２記載の本発明は、複数のメインテーマをサブテーマとともに三次元表示空間に表示し、複数のメインテーマにまたがる同一情報コンテンツを視覚的なパスで連結して表示することを要旨とする。
【００２９】
請求項１３記載の本発明は、入力された情報を分析し展開して提示する情報分析展開提示装置であって、入力情報を分析する分析手段と、この分析結果に基づき入力情報のメインテーマおよび該メインテーマに属するサブテーマを抽出するテーマ抽出手段と、前記メインテーマを中心としてサブテーマを表示するサブテーマ用の二次元表示領域を有する三次元表示空間を生成する表示空間生成手段と、前記入力情報の分析結果に基づき前記サブテーマに含まれる情報コンテンツをサブテーマ毎に抽出する情報コンテンツ抽出手段と、この抽出されたサブテーマ毎の情報コンテンツを当該サブテーマに該当するサブテーマ用の二次元表示領域に表示し、これにより三次元表示空間にメインテーマを中心としてサブテーマ毎に情報コンテンツを二次元領域に表示するサブテーマ表示手段とを有することを要旨とする。
【００３０】
請求項１４記載の本発明は、請求項１乃至１２のいずれか１項に記載の情報分析展開提示方法をコンピュータ実行可能な情報分析展開提示プログラムとしてコンピュータに実行させることを要旨とする。
【発明の効果】
【００３１】
本発明によれば、入力された情報を分析して提示する際に、入力情報を分析し、この分析結果に基づき入力情報のメインテーマおよび該メインテーマに属するサブテーマを抽出し、さらにこのメインテーマを表示するメインテーマ表示領域と、サブテーマを表示するサブテーマ用の二次元表示領域とを生成し、このサブテーマ用表示領域をメインテーマ表示領域に関連付けて配置するので、従来、ユーザの頭の中で漠然としていたテーマをメインテーマ、サブテーマ、情報コンテンツと関連付けて、体系的に三次元表示空間に自動的に表示でき、これにより、例えば情報検索での目標の詳細化、情報の直観的把握を容易に行うことができる。
【発明を実施するための最良の形態】
【００３２】
本発明の情報分析展開提示方法は、情報収集部３の入力情報分析部３１で入力情報を分析し、この入力情報の分析結果に基づき情報収集部３のメインテーマ作成インタフェース４３、サブテーマ作成インタブユース４５、コンテンツ入力インタフェース４７でメインテーマ、サブテーマおよびサブテーマに含まれる情報コンテンツを抽出してデータベースに登録するとともに、メインテーマを中心としてサブテーマを表示するサブテーマ用の二次元表示領域を有する三次元表示空間を描画部７で生成し、このサブテーマの二次元表示領域にサブテーマ毎の情報コンテンツを表示し、三次元表示空間にメインテーマを中心としてサブテーマ毎に情報コンテンツを二次元領域に表示する。
【実施例】
【００３３】
図１は、本発明の一実施例に係わる情報分析展開提示方法を実施する情報分析展開提示装置の構成を示すブロック図である。
【００３４】
同図に示す情報分析展開提示装置は、ユーザにより入力される情報を分析して展開し複数のデータベースに格納する情報収集部３、各データベースに格納された情報に基づき二次元表示領域を有する三次元表示空間を生成し、この三次元表示空間の二次元表示領域に情報コンテンツを表示する描画部７、および各データベースに格納された情報のメタデータを抽出するメタデータ抽出部９から構成されている。
【００３５】
次に、各部について詳細に説明する前に、情報収集部３における入力情報を分析した結果として入力情報のメインテーマ、該メインテーマに属するサブテーマ、サブテーマに含まれる情報コンテンツなどを抽出して各データベースに登録し、このデータベースに登録された情報に基づき描画部７によりメインテーマを中心としてサブテーマを表示するサブテーマ用の二次元表示領域を有する三次元表示空間およびこの三次元表示空間の一次元表示領域にメインテーマを中心としてサブテーマおよび情報コンテンツを表示する処理の概要について図１３〜１５を参照して説明する。
【００３６】
ユーザが例えば情報検索などで情報を収集した場合には、この収集した情報にはメインテーマおよびこのメインテーマに属するサブテーマが存在する。例えば、ユーザがデジタルカメラについて情報検索して多数の情報を収集し閲覧している場合には、メインテーマはデジタルカメラであり、このデジタルカメラに属するサブテーマとして例えば画素数、メーカ、メモリ形式、ズームなど各情報が存在する。また、メインテーマが例えはパソコンの場合には、そのサブテーマとしてＣＰＵ性能、メモリ容量、ハードディスク容量、表示機能、メーカなどがある。
【００３７】
そこで、図１の情報収集部３において入力情報を分析し、入力情報からメインテーマと、このメインテーマに属する複数のサブテーマとを抽出するとともに、更に各サブテーマに含まれる情報コンテンツ、具体的にはデジタルカメラの画素数の場合には１００Ｍ画素、２００Ｍ画素、３００Ｍ画素などのような詳細情報である情報コンテンツをサブテーマ毎に抽出する。
【００３８】
また、情報収集部３では、メインテーマとサブテーマを表示するために三次元表示空間を生成し、この三次元表示空間にメインテーマを表示し、このメインテーマを中心としてサブテーマを二次元表示領域として表示し、この二次元表示領域に情報コンテンツを表示するようにしている。
【００３９】
具体的には、図１３に示すようにＸ，Ｙ，Ｚ軸の定義された三次元表示空間に円形で示すメインテーマ表示部１０１を表示し、このメインテーマ表示部１０１を中心し、該メインテーマ表示部１０１に連結して複数のサブテーマ用二次元表示領域２０１を表示し、サブテーマ用二次元表示領域２０１に複数の情報コンテンツ３０１が表示されるようにしている。ここで、メインテーマが例えばデジタルカメラであれば、メインテーマ表示部１０１の中にはメインテーマとしてデジタルカメラなるテキスト表示が行われ、このメインテーマ表示部１０１に連結して表示される複数のサブテーマ用二次元表示領域２０１のそれぞれにはサブテーマのテキスト名が例えば画素数、メータ名などのように表示され、各サブテーマ用二次元表示領域２０１内にはこのサブテーマに含まれる情報コンテンツ３０１が例えば１００Ｍ画素、２００Ｍ画素、３００Ｍ画素などのような詳細情報として表示される。なお、図１３においては、複数のサブテーマ用二次元表示領域２０１は、互いに重ならないようにするためにＺ軸方向に傾斜し、メインテーマ表示部１０１に連結されている基部から離れた端部が縮小表示されるようにパースを付けて遠近画法で表示されている。また、各サブテーマ用二次元表示領域２０１は、コネクタバー２００を介してメインテーマ表示部１０１に連結されている。
【００４０】
図１４は、図１３に示したサブテーマ用二次元表示領域２０１を１個のみ表示するとともに、このサブテーマ用二次元表示領域２０１の中心となるメインテーマ表示部１０１を詳細に示している図である。同図に示すように、メインテーマ表示部１０１はその内部にメインテーマのテキスト名を表示するとともに、このメインテーマの周囲にメインテーマに関連するメモをプレンテキストで表示している。なお、同図では、サブテーマ用二次元表示領域２０１は図１３と同様にＺ軸方向に傾斜し、端部が縮小表示されるようにパースを付けて遠近画法で表示されている。
【００４１】
図１５は、図１４に示したサブテーマ用二次元表示領域２０１のみをＺ軸方向の傾斜もなく完全二次元平面として広げて表示している図である。同図に示すように、このサブテーマ用二次元表示領域２０１内には該サブテーマに含まれる複数の情報コンテンツ３０１がプレンテキストのメモとともに表示されている。このようにサブテーマ用二次元表示領域２０１に複数の情報コンテンツ３０１が表示されることで、これらの情報コンテンツ３０１のメインテーマとサブテーマに対する関係が明確に分かるとともに、またサブテーマ用二次元表示領域２０１内に表示された各情報コンテンツ３０１間の関係も明確に分かる。なお、サブテーマ用二次元表示領域２０１内に表示された各情報コンテンツ３０１の表示位置は例えばドラッグ＆ドロップ操作により適宜変更し得るものである。
【００４２】
上述した図１３〜図１５に示したように、メインテーマ表示部１０１を中心として表示される複数のサブテーマ用二次元表示領域２０１は、図１６に示すように、メインテーマ表示部１０１を中心に互いに重なり合うように近接し閉じて表示され得るとともに、更に図１７に示すように、三次元表示空間の周縁部に移動して表示され、また更に図１８に示すように複数のメインテーマ表示部１０１を表示し、この複数のメインテーマ表示部１０１のそれぞれにサブテーマ用二次元表示領域２０１を表示し、この複数のサブテーマ用二次元表示領域２０１に表示された情報コンテンツ３０１のうち複数のメインテーマ表示部１０１にまたがる同一情報コンテンツ３０１に対しては視覚的なパスで連結して表示することも可能である。
【００４３】
上述したように、メインテーマをメインテーマ表示部１０１に表示し、このメインテーマ表示部１０１を中心としてサブテーマを表示するサブテーマ用二次元表示領域２０１をコネクタバー２００で連結して表示し、サブテーマ用二次元表示領域２０１内に複数の情報コンテンツ８０１を表示することにより複数の情報コンテンツ３０１のメインテーマおよびサブテーマに対する関係および各情報コンテンツ３０１間の関係を明確にするために、入力情報を分析し、メインテーマ、メインテーマに属する複数のサブテーマ、各サブテーマに含まれる情報コンテンツなどを抽出して各データベースに登録し、このデータベースに登録された各情報を描画部７が三次元表示空間に表示する図１に示す情報分析展開提示装置の構成について図１に戻って説明する。
【００４４】
まず、情報収集部３は、入力情報を分析する入力情報分析部３１、この入力情報分析部３１に接続された表示モード切替部４１、メインテーマ作成インタフェース４３、サブテーマ作成インタフェース４５、コンテンツ入力インタフェース４７、コンテンツ配置変更部４９、前記表示モード切替部４１に接続された表示状態履歴データベース（ＤＢ）５１、前記メインテーマ作成インタフェース４５に接続されたメインテーマデータベース（ＤＥ）５３、前記サブテーマ作成インタフェース４５に接続されたサブテーマデータベース（ＤＢ）５５、前記コンテンツ入力インタフェース４７に接続されたコンテンツ基本コンポーネントデータベース（ＤＢ）５７、前記コンテンツ配置変更部４９に接続されたコンテンツ情報データベース（ＤＢ）５９、および該コンテンツ情報データベース５９に接続されたコンテンツ更新情報データベース６１から構成されている。
【００４５】
描画部７は、二次元表示領域を有する三次元表示空間の生成、三次元表示空間における二次元表示領域の表示動作の制御などを行う画面描画エンジン７１、および二次元表示領域への情報コンテンツの表示などを行う平面描画エンジン７３から構成されている。また、メタデータ抽出部９は、各データベースに格納された各情報のメタデータを抽出するメタデータ抽出手段９１およびこのメタデータ抽出手段９１で抽出したメタデータを格納するメタデータデータベース（ＤＢ）９３から構成されている。
【００４６】
メインテーマ作成インタフェース４３は、図２にその作用をフローチャートとして示すように、入力情報分析部３１において入力情報を分析した分析結果のメインテーマ関係の情報を入力すると（ステップＳ１１）、この分析結果に基づきメインテーマを新規に作成し（ステップＳ１３）、メインテーマデータベース５３に登録する。
【００４７】
このメインテーマデータベース５３へのメインテーマの登録では、図７に示すようにメインテーマＩＤ、メインテーマの作成時刻、更新時刻、テーマタイトル（テキスト）、テーマ表示画像などがメインテーマデータベース５３に登録される。
【００４８】
新規メインテーマが作成されデータベースに登録されると、面面描画エンジン７１が起動され（ステップＳ１５）、前記新規に作成されたメインテーマおよびメインテーマデータベース５３に登録されたメインテーマを関連する情報に碁づきメインテーマを表示する三次元表示空間を生成し出力する（ステップＳ１７）。
【００４９】
サブテーマ作成インタフェース４５は、図３にその作用をフローチャートとして示すように、入力情報分析部３１において入力情報を分析した分析結果のサブテーマ関係の情報を入力すると（ステップＳ２１）、この分析結果に基づきサブテーマを新規に作成し（ステップＳ２３）、サブテーマデータベース５５に登録する。
【００５０】
このサブテーマデータベース５５へのサブテーマの登録では、図８に示すように、当該サブテーマが所属するメインテーマＩＤ、サブテーマＩＤ、当該サブテーマが二次元表示領域に表示されるべく配置される配置時刻、更新時刻、サブテーマタイトル（テキスト）などがメインテーマデータベース５３に登録される。
【００５１】
上述したように新規サブテーマが作成されデータベースに登録されると、画面描画エンジン７１が起動され（ステップＳ２５）、前記新規に作成されたサブテーマおよびサブテーマデータベース５５に登録されたサブテーマに関連する情報に基づきサブテーマを二次元表示領域に表示出力する（ステップＳ２７）。
【００５２】
コンテンツ入力インタフェース４７は、図４にその作用をフローチャートとして示すように、入力情報分析部３１において入力情報を分析した分析結果の情報コンテンツが入力されると（ステップＳ３１）、この分析結果に基づき情報コンテンツを新規に作成し（ステップＳ３３）、コンテンツ基本コンポーネントデータとしてコンテンツ基本コンポーネントデータベース５７に登録し、更にこのコンテンツ基本コンポーネントデータベース５７に登録された情報から情報コンテンツがコンテンツ情報データベース５９に登録される。
【００５３】
このコンテンツ基本コンポーネントデータベース５７へのコンテンツ基本コンポーネントデータの登録では、図１０に示すように、所属メインテーマＩＤ、所属サブテーマＩＤ、コンテンツＩＤ、ＵＲＩ（Ｕｎｉｆｏｒｍ  Ｒｅｓｏｕｒｃｅ  Ｉｄｅｎｔｉｆｉｅｒ）、ＵＲＩに関するメタデータ群、コンテンツタイプ（メモテキスト／その他）、コンテンツ表示データ（画像データ）、配置大きさ（Ｘ，Ｙ）などがコンテンツ基本コンポーネントデータベース５７に登録される。
【００５４】
また、コンテンツ情報データベース５９への情報コンテンツの登録では、図９に示すように、所属メインテーマＩＤ、所属サブテーマＩＤ、コンテンツＩＤ、作成時刻、更新時刻、配置位置（バー上／平面上）、配置位置（Ｘ，Ｙ）：（平面やバーとの相対位置）などがコンテンツ情報データベース５９に登録される。
【００５５】
上述したように、情報コンテンツが新規に作成されデータベースに登録されると、平面描画エンジン７３が起動され（ステップＳ３５）、新規に作成された情報コンテンツ、サブテーマデータベース５５、コンテンツ情報データベース５９に登録された情報に基づき情報コンテンツの二次元表示領域への表示が行われ、それから更に画面描画エンジン７１が起動され、三次元表示空間への表示が行われる（ステップＳ３７，３９）。
【００５６】
コンテンツ配置変更部４９は、図５にその作用をフローチャートとして示すように、配置変更入力を受けると（ステップＳ４１）、コンテンツ情報データベース５９から配置変更するコンテンツを検索し（ステップＳ４３）、この検索したコンテンツの状態を修正し（ステップＳ４５）、コンテンツ更新情報データベース６１に登録する。なお、この場合のコンテンツの配置変更なる更新情報のコンテンツ更新情報データベース６１への登録では、図１１に示すように、当該配置変更対称のコンテンツの所属メインテーマＩＤ、所属サブテーマＩＤ、コンテンツＩＤ、作成時刻とサブテーマ用二次元表示領域２０１への表示位置である配置位置、複数の更新時刻と配置位置などがコンテンツ更新情報データベース６１に登録される。
【００５７】
上述したように、配置変更が行われると、平面描画エンジン７３が起動され（ステップＳ４７）、この配置変更に対するサブテーマ用二次元表示領域２０１上での変更をコンテンツ基本コンポーネントデータベース５７に登録された情報も参照して行い、更に画面描画エンジン７１を起動し（ステップＳ４９）、上記変更に伴う三次元表示空間、サブテーマ用二次元表示領域２０１の変更を行って出力する（ステップＳ４９，５１）。
【００５８】
また、表示モード切替部４１は、三次元表示空間においてメインテーマ表示部１０１を中心として表示されるサブテーマ用二次元表示領域２０１の表示状態を切り替えるが、この切り替えられた表示状態の履歴情報が表示状態履歴データベース５１に登録される。この表示状態履歴データベース５１に登録される表示状態の履歴情報としては、図６に示すように、表示されるメインテーマＩＤ、メッセージＩＤと表示状態、画面表示モード（開／閉）、配置位置（Ｘ，Ｙ，Ｚ）、配置サイズ（Ｘ，Ｙ）、変更時刻などの情報がある。
【００５９】
なお、上述したように、情報収集部３においてメインテーマデータベース５３、サブテーマデータベース５５、コンテンツ情報データベース５９、コンテンツ基本コンポーネントデータベース５７、コンテンツ更新情報データベース６１、表示状態履歴データベース５１に登録された情報は、図１２に示すように互いに連携しているものである。
【００６０】
上述したように構成される本実施例の情報分析展開提示装置は、機能的構成としては、入力情報を分析する情報収集部３の入力情報分析部３１で構成される分析手段と、この分析結果に基づき入力情報のメインテーマおよび該メインテーマに属するサブテーマを抽出する情報収集部３のメインテーマ作成インタフェース４３、サブテーマ作成インタフェース４５で構成されるテーマ抽出手段と、メインテーマを表示するメインテーマ表示部１０１を中心としてサブテーマを表示するサブテーマ用二次元表示領域２０１を有する三次元表示空間を図１３〜図１５に示すように生成して表示する描画部７の画面描画エンジン７１で構成される表示空間生成手段と、入力情報の分析結果に基づきサブテーマに含まれる情報コンテンツをサブテーマ毎に抽出する情報収集部３のコンテンツ入力インタフェース４７で構成される情報コンテンツ抽出手段と、この抽出されたサブテーマ毎の情報コンテンツを当該サブテーマに該当するサブテーマ用二次元表示領域２０１に図１３〜図１５、特に図１５に示すように表示し、これにより三次元表示空間にメインテーマを表示するメインテーマ表示部１０１中心としてサブテーマ毎に情報コンテンツをサブテーマ用二次元表示頃域２０１に表示する描画部７の平面描画エンジン７３から構成されるサブテーマ表示手段とから機能的に構成される。
【００６１】
また、図１３〜図１６に示すように、メインテーマが表示されるメインテーマ表示部１０１に対してサブテーマが表示されるサブテーマ用二次元表示領域２０１が複数存在する場合には、この複数のサブテーマにそれぞれ対応して複数のサブテーマ用二次元表示領域２０１をメインテーマ表示部１０１を中心に展開して生成し、この複数のサブテーマ用二次元表示領域２０１を、メインテーマ表示部１０１を中心に互いに重ならないように広げて表示する図１３に示すような第１の表示状態、互いに重なり合うように近接させ閉じて表示する図１６に示すような第２の表示状態、および所望のサブテーマに対応する所望のサブテーマのサブテーマ用二次元表示領域２０１のみを他との重ならないように完全な二次元平面として広げて図１５に示すように表示し、その他のサブテーマに対応する他の二次元表示領域を互いに重なり合うように近接させ閉じて表示する第３の表示状態のいずれかで表示する平面描画エンジン７３、表示モード切替部４１で構成される二次元表示手段を有する。
【００６２】
また、第１の表示状態において互いに重ならないように広げて表示される複数のサブテーマ用二次元表示領域２０１、第２の表示状態において互いに重なり合うように近接させ閉じて表示される複数のサブテーマ用二次元表示領域２０１および第３の表示状態において互いに重なり合うように近接させ閉じて表示される他のサブテーマ用二次元表示領域２０１を、三次元表示空間の奥行き方向に遠近画法で一部縮小して台形状に表示する（図１４参照）。これにより複数のサブテーマ用二次元表示領域２０１間の表示上の干渉を防ぎ、表示領域を有効に利用することができる。さらに図１５に示すように、第３の表示状態においては、広げて表示される所望のサブテーマ用二次元表示領域２０１を矩形状に完全に展開して表示し、サブテーマ用二次元表示領域２０１に表示されるコンテンツの関係をより判る安く表示することもできる。
【００６３】
また、図１６に示すように、メインテーマ表示部１０１が、第２の表示状態においてメインテーマ表示部１０１を中心に互いに重なり合うように近接させ閉じて表示されるときには、三次元表示空間の周縁部に表示する。
【００６４】
具体的には、図１７に示すように、注目していないメインテーマのメインテーマ表示部１０１を、三次元表示空間の周縁部、つまり注目するメインテーマ表示部１０１に係る複数のサブテーマ用二次元表示領域２０１を展開したときに、当該メインテーマ表示部１０１の利用に支障の生じないメインテーマ表示部１０１および展開されたサブテーマ用二次元表示領域２０１の周縁領域に適宜、縮小して表示する。これにより注目するメインテーマ表示部１０１およびその複数のサブテーマ用二次元表示領域２０１をより大きく表示することができる。
【００６５】
また、サブテーマ表示手段においてサブテーマ用二次元表示領域２０１に表示される情報コンテンツの表示位置を変更することができ、この変更した情報コンテンツの表示位置情報を履歴情報としてコンテンツ更新情報データベース６１に記録管理することができる。
【００６６】
更に、サブテーマ表示手段においてサブテーマ用二次元表示領域２０１に情報コンテンツを表示した表示時刻情報を履歴情報として登録管理し、この表示時刻情報から各情報コンテンツの順序関係データを抽出することができる。サブテーマ表示手段においてサブテーマ用二次元表示領域２０１に表示される情報コンテンツの表示位置から各情報コンテンツ間の距離を算出し、この距離が所定の閾値以下である情報コンテンツから近似関係データを抽出することができる。そして、前記順序関係データおよび近似関係データに基づき情報コンテンツ間の因果関係データを生成する。
【００６７】
サブテーマ表示手段においてサブテーマ用二次元表示領域２０１に表示される情報コンテンツの重なり合う領域を算出し、この重なり合う領域が大きい情報コンテンツほど相関関係が強いと推論し、この重なり合う領域の大きさに基づき情報コンテンツ間の相関関係データを抽出したり、またはサブテーマ表示手段において情報コンテンツが表示されるサブテーマ用二次元表示頃域２０１を複数の領域に分割し、同一領域に表示される情報コンテンツは相関関係が強いと推論し、情報コンテンツ間の相関関係データを抽出することができる。
【００６８】
また、上述した順序関係データ、近似関係データ、因果関係データ及び相関関係データの抽出は、メタデータ抽出部９のメタデータ抽出手段９１により行われるが、このようにメタデータ抽出手段９１で抽出された順序関係データ、近似関係データ、因果関係データ及び相関関係データは、メタデータとしてメタデータデータベース（ＤＢ）９３に登録される。
【００６９】
上述したように、メインテーマを表示するメインテーマ表示部１０１を中心としてサブテーマを表示するサブテーマ用二次元表示領域２０１を図１３に示すように表示し、このサブテーマ用二次元表示領域２０１にサブテーマに含まれる情報コンテンツを表示することにより、この情報コンテンツのメインテーマおよびサブテーマに対する関係を明確に理解することができる。そして、このような表示において、所望のサブテーマについての各情報コンテンツを詳細に閲覧したい場合には、図１３に示す第１の表示状態から所望のサブテーマを指定し、このサブテーマのサブテーマ用二次元表示領域２０１を図１５に示すように完全な二次元平面として広げて表示することにより、このサブテーマに関する情報コンテンツを詳細に閲覧することができる。
【００７０】
この図１５に示すサブテーマ用二次元表示領域２０１では、当該サブテーマに含まれる複数の情報コンテンツが透過度を持って表示され、各情報コンテンツのＺ軸方向への奥行き感および重なり感を表示し得るようになっている。また、このサブテーマ用二次元表示領域２０１に表示された各情報コンテンツにはメモテキストが表示され、各情報コンテンツに対する簡単な説明が行われている。
【００７１】
また、サブテーマ用二次元表示領域２０１に表示された情報コンテンツの閲覧が終了した場合には、図１６に示すように、メインテーマ表示部１０１を中心に各サブテーマ用二次元表示領域２０１を閉じることができるとともに、このように閉じたサブテーマ用二次元表示領域２０１とメインテーマ表示部１０１を図１７に示すように三次元表示空間の隅部に移動することができ、これにより三次元表示空間の中央部分をあけて新たな操作作業を行うワークエリアを確保し、必要によりこの部分に別のメインテーマ表示部１０１とサブテーマ用二次元表示領域２０１を表示することができる。
【００７２】
また、図１８に示すように、メインテーマ表示部１０１とサブテーマ用二次元表示領域２０１を複数、三次元表示空間に表示することにより、メインテーマ表示部１０１で表示される複数のメインテーマにまたがる同一情報コンテンツを検索し、これらを視覚的なパス１８０で連結して表示することも可能である。
【００７３】
上述したように、本実施例においては、入力情報の分析結果に基づきメインテーマ、サブテーマ、情報コンテンツを抽出し、サブテーマ毎の情報コンテンツをサブテーマ用二次元表示領域２０１に表示するため、メインテーマを中心としてサブテーマ毎に情報コンテンツをサブテーマ用二次元表示領域２０１に表示でき、ユーザの頭の中で漠然としていたテーマに対して体系だった情報を生成できる。すなわち、ユーザは体系だった目標を持たないが、情報を閲覧しフィードバックを得ることで、目標を詳細化できる。また、詳細化しない場合においても、情報を配置することでユーザにとって直観的に把握でき、ユーザの頭の中の状態を記録することができ、その結果ユーザは自分が遂行しようとする試みを客観てきに把握でき、軌道修正や新たな発見を得るきっかけが得られる。また、二次元配置した情報部の相関関係およびメインテーマとの二次元表示領域との関係、更に複数のテーマ間を総覧するビューの表示によりユーザの興味の推移やテーマ間の類似関係をユーザが把握しやすくなる。
【００７４】
なお、上記実施形態の情報分析展開提示方法の処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、情報分析展開提示方法を実施する情報分析展開提示装置として機能させることができることは勿論であり、このような記録媒体を用いることにより、その流通性を高めることができるものである。
【図面の簡単な説明】
【００７５】
【図１】本発明の一実施例に係わる情報分析展開提示方法を実施する情報分析展開提示装置の構成を示すブロック図である。
【図２】図１に示す実施例に使用されているメインテーマ作成インタフェースの作用を示すフローチャートである。
【図３】図１に示す実施例に使用されているサブテーマ作成インタフェースの作用を示すフローチャートである。
【図４】図１に示す実施例に使用されているコンテンツ入力インタフェースの作用を示すフローチャートである。
【図５】図１に示す実施例に使用されているコンテンツ配置変更部の作用を示すフローチャートである。
【図６】図１に示す実施例に使用されている表示状態履歴データベースに格納される情報を示す図である。
【図７】図１に示す実施例に使用されているメインテーマデータベースに格納される情報を示す図である。
【図８】図１に示す実施例に使用されているサブテーマデータベースに格納される情報を示す図である。
【図９】図１に示す実施例に使用されているコンテンツ情報データベースに格納される情報を示す図である。
【図１０】図１に示す実施例に使用されているコンテンツ基本コンポーネントデータベースに格納される情報を示す図である。
【図１１】図１に示す実施例に使用されているコンテンツ更新情報データベースに格納される情報を示す図である。
【図１２】図１に示す実施例における各データベースに格納されるデータのつながりを示す説明図である。
【図１３】図１に示す実施例においてメインテーマ表示部１０１を中心として複数のメインテーマ表示部１０１を表示する三次元表示空間を示す図である。
【図１４】図１３においてメインテーマ表示部１０１と１個のサブテーマ用二次元表示領域２０１のみを表示する三次元表示空間を示す図である。
【図１５】図１３に表示されたサブテーマ用二次元表示頃域２０１のみを完全な二次元平面として広げて表示した図である。
【図１６】図１３に示した複数のサブテーマ用二次元表示領域２０１をメインテーマ表示部１０１の中心に閉じた状態を示す図である。
【図１７】図１６に示したように閉じた複数のサブテーマ用二次元表示領域２０１を三次元表示空間の隅部に移動した状態を示す図である。
【図１８】複数のメインテーマ表示部をそれぞれのサブテーマ用二次元表示領域２０１とともに表示した三次元表示空間を示す図である。
【符号の説明】
【００７６】
３  情報収集部
７  描画部
９  メタデータ抽出部
３１  入力情報分析部
４１  表示モード切替部
４３  メインテーマ作成インタフェース
４５  サブテーマ作成インタフェース
４７  コンテンツ入力インタフェース
４９  コンテンツ配置変更部
５２  表示状態履歴データベース
５３  メインテーマデータベース
５５  サブテーマデータベース
５７  コンテンツ基本コンポーネントデータベース
５９  コンテンツ情報データベース
６１  コンテンツ更新情報データベース
７１  画面動画エンジン
７３  平面描画エンジン
９１  メタデータ抽出手段
９３  メタデータデータベース
【図１】
2005063306.tif 000003
【図２】
2005063306.tif 000004
【図３】
2005063306.tif 000005
【図４】
2005063306.tif 000006
【図５】
2005063306.tif 000007
【図６】
2005063306.tif 000008
【図７】
2005063306.tif 000009
【図８】
2005063306.tif 000010
【図９】
2005063306.tif 000011
【図１０】
2005063306.tif 000012
【図１１】
2005063306.tif 000013
【図１２】
2005063306.tif 000014
【図１３】
2005063306.tif 000015
【図１４】
2005063306.tif 000016
【図１５】
2005063306.tif 000017
【図１６】
2005063306.tif 000018
【図１７】
2005063306.tif 000019
【図１８】
2005063306.tif 000020